(57)【特許請求の範囲】
【請求項１】
電気機器と監視制御端末との間に制御中継装置を配置し、前記制御中継装置は複数のスロットとインタフェースとを備え、前記監視制御端末に接続された基板が前記複数のスロットのうちのひとつのスロットである第１のスロットに取り付けられ、バックアップ用の制御端末が前記インタフェースに直接接続され、前記制御中継装置を介して前記監視制御端末又は前記バックアップ用の制御端末から前記電気機器を制御する制御システムにおいて、前記電気機器が前記基板に接続され、前記監視制御端末から前記基板を介して前記電気機器が制御されている場合に、前記第１のスロットから当該第１のスロットとは異なる第２のスロットに前記基板を付け替える方法であって、
前記電気機器からの接続を前記基板から前記インタフェースに切り替え、前記バックアップ用の制御端末から前記インタフェースを介して前記電気機器を制御し、
前記基板を前記第１のスロットから取り外し、
前記監視制御端末に接続された基板を前記第２のスロットに取り付け、
前記監視制御端末が前記第２のスロットに取り付けられた基板を介して前記電気機器を制御できるように、前記監視制御端末及び前記第２のスロットに取り付けられた基板を設定し、
前記電気機器からの接続を前記インタフェースから前記第２のスロットに取り付けられた基板に切り替え、前記監視制御端末から前記第２のスロットに取り付けられた基板を介して前記電気機器を制御すること、
を特徴とする基板付け替え方法。
【請求項２】
請求項１に記載の基板付け替え方法であって、
第１の前記監視制御端末とは異なる第２の前記監視制御端末に接続された基板を前記第１及び第２のスロットとは異なる第３の前記スロットに取り付け、
前記第２のスロットに取り付けられた基板を設定した後に、前記電気機器からの接続を前記インタフェースから前記第３のスロットに取り付けられた基板に切り替え、前記第２の監視制御端末から前記第３のスロットに取り付けられた基板を介して前記電気機器を制御した後に、前記電気機器からの接続を前記第３のスロットに取り付けられた基板から前記第２のスロットに取り付けられた基板に切り替えること、
を特徴とする基板付け替え方法。
【請求項３】
請求項１又は２に記載の基板付け替え方法であって、
前記電気機器は電気所に設置され、前記制御中継装置及び前記バックアップ用の制御端末は制御中継所に設置され、前記監視制御端末は、制御所及び営業所を含む、前記電気所及び前記制御中継所とは異なる場所に設置されること、
を特徴とする基板付け替え方法。
【請求項４】
請求項１に記載の基板付け替え方法であって、
第１の前記監視制御端末とは異なる第２の前記監視制御端末に接続された基板が前記第１及び第２のスロットとは異なる第３の前記スロットに取り付けられており、
前記電気機器は、前記電気機器を第１及び第２の接続先の少なくともいずれかに選択的に接続可能な機器側スイッチに接続され、
前記制御中継装置は、前記第１乃至第３のスロットとは異なる第４の前記スロットと、前記第１乃至第４のスロットのそれぞれに対応する第１乃至第４のスイッチを備え、
前記第１のスイッチは、前記機器側スイッチに接続され、前記機器側スイッチを前記第１のスロットに取り付けられた基板及び前記インタフェースの少なくともいずれかに選択的に接続できるように前記第１のスロットに取り付けられた基板及び前記インタフェースと接続されており、
前記第３のスイッチは、前記機器側スイッチに接続され、前記機器側スイッチを前記第３のスロットに取り付けられた基板及び前記インタフェースの少なくともいずれかに選択的に接続できるように前記第３のスロットに取り付けられた基板及び前記インタフェースと接続されており、
前記電気機器からの接続を前記基板から前記インタフェースに切り替えることは、
前記第３のスロットに取り付けられた基板を前記第３のスロットから取り外し、
前記第２の監視制御端末に接続された基板を前記第４のスロットに取り付け、
前記第４のスイッチを前記機器側スイッチに接続し、
前記第４のスイッチが前記機器側スイッチを前記第４のスロットに取り付けられた基板及び前記インタフェースの少なくともいずれかに選択的に接続できるように、前記第４のスロットに取り付けられた基板及び前記インタフェースを前記第４のスイッチに接続し、
前記第２の監視制御端末が前記第４のスロットに取り付けられた基板を介して前記電気機器を制御するように、前記第２の監視制御端末及び前記第４のスロットに取り付けられた基板を設定し、
前記第４のスイッチを前記インタフェースに接続するように切り替え、
前記機器側スイッチを切り替えることを含み、
前記電気機器からの接続を前記インタフェースから前記第２のスロットに取り付けられた基板に切り替えることは、
前記第２のスイッチを前記機器側スイッチに接続し、
前記第２のスイッチが前記機器側スイッチを前記第２のスロットに取り付けられた基板及び前記インタフェースの少なくともいずれかに選択的に接続できるように、前記第２のスロットに取り付けられた基板及び前記インタフェースを前記第２のスイッチに接続し、
前記第２のスイッチを、前記第２のスロットに取り付けられた基板に接続するように切り替え、
前記機器側スイッチを切り替えることを含むこと
を特徴とする基板付け替え方法。
【請求項５】
請求項４に記載の基板付け替え方法であって、
前記電気機器からの接続を前記基板から前記インタフェースに切り替えることにおいて、前記第２の監視制御端末及び前記第４のスロットに取り付けられた基板の設定が完了する前に、前記機器側スイッチと前記第１のスイッチとの間の接続に不具合が生じた場合、
前記機器側スイッチと前記第４のスイッチとが接続されるように、前記機器側スイッチを切り替え、
前記第４のスイッチと前記第２の監視制御端末との接続を解除し、前記第１の監視制御端末を前記第４のスイッチに接続し、
前記第１の監視制御端末が前記第４のスイッチを介して前記電気機器を制御すること、
を特徴とする基板付け替え方法。
【発明の詳細な説明】
【技術分野】
【０００１】
本発明は、監視制御切り替え方法に関する。
【背景技術】
【０００２】
従来、電気所の情報は、遠隔監視制御装置（ＴＣ）から制御中継所の情報集配信装置（ＤＸ）を介して遠隔地（制御所や営業所など）の監視制御装置へ伝送している。伝送方式としては、サイクリック伝送方式やＨＤＬＣ伝送方式などが知られている。情報集配信装置（ＤＸ）では、この伝送方式に応じた基板が遠隔監視制御装置（ＴＣ）ごとに設けられる。特許文献１には、遠隔監視制御装置（ＴＣ）から情報集配信装置（ＤＸ）への伝送方式と、情報集配信装置（ＤＸ）から監視制御装置への伝送方式とが異なる場合に、伝送変換装置によりデータを変換することで、異なる伝送方式の遠隔監視制御装置（ＴＣ）や監視制御装置を併用することを可能としている。
【先行技術文献】
【特許文献】
【０００３】
【特許文献１】特許第３８６３１１９号明細書
【発明の概要】
【発明が解決しようとする課題】
【０００４】
ところで、電気所の新設や電気所における設備の変更などにより、遠隔監視制御装置を新たに設置したり、取り替えたりすることがある。このとき制御中継所の情報集配信装置（ＤＸ）でも基板の増設や取換えを行う必要がある。
【０００５】
しかしながら、情報集配信装置（ＤＸ）では、所定数の基板を１ユニットとして管理している。同一ユニットには同じ伝送方式に対応した基板のみが装着可能であり、異なる伝送方式の基板を混在させることができない。例えばＨＤＬＣ方式の基板を新たに装着しようとした場合に、情報集配信装置（ＤＸ）においてサイクリック方式に対応するユニットに空きスロットがあっても、ＨＤＬＣ方式に対応するユニットに空きスロットがない状況が起こりうる。この場合、異なる伝送方式の基板は同一ユニット内に混在させることができないため、あるサイクリック方式のユニットに装着されている基板を他のサイクリック方式のユニットに移設し、空きになったユニットをＨＤＬＣ方式のユニットに交換して、このＨＤＬＣ方式のユニットに新たなＨＤＬＣ方式の基板を装着することが可能となる。あるユニットから他のユニットに基板を移設しようとすると、基板を外したときに遠隔監視制御装置（ＴＣ）からの情報の伝送が不可能になってしまい、遠隔地からの監視制御ができなくなる。この場合には電気所に作業員を派遣し手動で監視制御を行う必要があり、手間や時間がかかる。
【０００６】
本発明は、このような背景を鑑みてなされたものであり、遠隔監視制御を行いつつ、情報集配信装置の設定を変更することのできる、監視制御切り替え方法を提供することを目的とする。
【課題を解決するための手段】
【０００７】
上記課題を解決するための本発明の主たる発明は、電気機器と監視制御端末との間に制御中継装置を配置し、前記制御中継装置は複数のスロットとインタフェースとを備え、前記監視制御端末に接続された基板が前記複数のスロットのうちのひとつのスロットである第１のスロットに取り付けられ、バックアップ用の制御端末が前記インタフェースに直接接続され、前記制御中継装置を介して前記監視制御端末又は前記バックアップ用の制御端末から前記電気機器を制御する制御システムにおいて、前記電気機器が前記基板に接続され、前記監視制御端末から前記基板を介して前記電気機器が制御されている場合に、前記第１のスロットから当該第１のスロットとは異なる第２のスロットに前記基板を付け替える方法であって、前記電気機器からの接続を前記基板から前記インタフェースに切り替え、前記バックアップ用の制御端末から前記インタフェースを介して前記電気機器を制御し、前記基板を前記第１のスロットから取り外し、前記監視制御端末に接続された基板を前記第２のスロットに取り付け、前記監視制御端末が前記第２のスロットに取り付けられた基板を介して前記電気機器を制御できるように、前記監視制御端末及び前記第２のスロットに取り付けられた基板を設定し、前記電気機器からの接続を前記インタフェースから前記第２のスロットに取り付けられた基板に切り替え、前記監視制御端末から前記第２のスロットに取り付けられた基板を介して前記電気機器を制御することとする。
【０００８】
第１の制御端末とは、例えば後述する制御所３に設置される監視制御端末８Ａであり、第２の制御端末とは、例えば後述する制御中継所２に設定される監視制御端末７である。
【０００９】
本発明の基板切り替え方法によれば、第２の制御端末により電気機器の制御を行いつつ、新たな基板をスロットに取り付けて第１の制御端末を接続するようにすることができる。これにより、遠隔制御を中断することなく、制御中継所における基板の取り替えや、異なるスロットへの移動が可能となる。
【００１０】
また、本発明の基板付け替え方法では、第１の前記監視制御端末とは異なる第２の前記監視制御端末に接続された基板を前記第１及び第２のスロットとは異なる第３の前記スロットに取り付け、前記第２のスロットに取り付けられた基板を設定した後に、前記電気機器からの接続を前記インタフェースから前記第３のスロットに取り付けられた基板に切り替え、前記第２の監視制御端末から前記第３のスロットに取り付けられた基板を介して前記電気機器を制御した後に、前記電気機器からの接続を前記第３のスロットに取り付けられた基板から前記第２のスロットに取り付けられた基板に切り替えるようにしてもよい。
【００１１】
また、本発明の基板付け替え方法では、前記電気機器は電気所に設置され、前記制御中継装置及び前記バックアップ用の制御端末は制御中継所に設置され、前記監視制御端末は、制御所及び営業所を含む、前記電気所及び前記制御中継所とは異なる場所に設置されるようにしてもよい。
【００１２】
また、本発明の基板付け替え方法では、第１の前記監視制御端末とは異なる第２の前記監視制御端末に接続された基板が前記第１及び第２のスロットとは異なる第３の前記スロットに取り付けられており、前記電気機器は、前記電気機器を第１及び第２の接続先の少なくともいずれかに選択的に接続可能な機器側スイッチに接続され、前記制御中継装置は、前記第１乃至第３のスロットとは異なる第４の前記スロットと、前記第１乃至第４のスロットのそれぞれに対応する第１乃至第４のスイッチを備え、前記第１のスイッチは、前記機器側スイッチに接続され、前記機器側スイッチを前記第１のスロットに取り付けられた基板及び前記インタフェースの少なくともいずれかに選択的に接続できるように前記第１のスロットに取り付けられた基板及び前記インタフェースと接続されており、前記第３のスイッチは、前記機器側スイッチに接続され、前記機器側スイッチを前記第３のスロットに取り付けられた基板及び前記インタフェースの少なくともいずれかに選択的に接続できるように前記第３のスロットに取り付けられた基板及び前記インタフェースと接続されており、前記電気機器からの接続を前記基板から前記インタフェースに切り替えることは、前記第３のスロットに取り付けられた基板を前記第３のスロットから取り外し、前記第２の監視制御端末に接続された基板を前記第４のスロットに取り付け、前記第４のスイッチを前記機器側スイッチに接続し、前記第４のスイッチが前記機器側スイッチを前記第４のスロットに取り付けられた基板及び前記インタフェースの少なくともいずれかに選択的に接続できるように、前記第４のスロットに取り付けられた基板及び前記インタフェースを前記第４のスイッチに接続し、前記第２の監視制御端末が前記第４のスロットに取り付けられた基板を介して前記電気機器を制御するように、前記第２の監視制御端末及び前記第４のスロットに取り付けられた基板を設定し、前記第４のスイッチを前記インタフェースに接続するように切り替え、前記機器側スイッチを切り替えることを含み、前記電気機器からの接続を前記インタフェースから前記第２のスロットに取り付けられた基板に切り替えることは、前記第２のスイッチを前記機器側スイッチに接続し、前記第２のスイッチが前記機器側スイッチを前記第２のスロットに取り付けられた基板及び前記インタフェースの少なくともいずれかに選択的に接続できるように、前記第２のスロットに取り付けられた基板及び前記インタフェースを前記第２のスイッチに接続し、前記第２のスイッチを、前記第２のスロットに取り付けられた基板に接続するように切り替え、前記機器側スイッチを切り替えることを含むようにしてもよい。
【００１３】
また、本発明の基板付け替え方法では、前記電気機器からの接続を前記基板から前記インタフェースに切り替えることにおいて、前記第２の監視制御端末及び前記第４のスロットに取り付けられた基板の設定が完了する前に、前記機器側スイッチと前記第１のスイッチとの間の接続に不具合が生じた場合、前記機器側スイッチと前記第４のスイッチとが接続されるように、前記機器側スイッチを切り替え、前記第４のスイッチと前記第２の監視制御端末との接続を解除し、前記第１の監視制御端末を前記第４のスイッチに接続し、前記第１の監視制御端末が前記第４のスイッチを介して前記電気機器を制御するようにしてもよい。
【００１４】
その他本願が開示する課題やその解決方法については、発明の実施形態の欄及び図面により明らかにされる。
【発明の効果】
【００１５】
本発明によれば、遠隔監視制御を行いつつ、情報集配信装置の設定を変更することができる。
【図面の簡単な説明】
【００１６】
【図１】本実施形態の遠隔監視制御システムの構成例を示す図である。
【図２】情報配信装置１０の構成を説明するための図である。
【図３】サイクリックユニット１０２に空きがない状態の情報配信装置１０を説明する図である。
【図４】サイクリックユニット１０２をＨＤＬＣユニット１０２に交換した状態の情報配信装置１０を説明する図である。
【図５】通常運転時における、通信回線の接続状態を説明する図である。
【図６】旧チャネルから新チャネルへの切り替え処理の流れを示す図である。
【図７】試験器３０による調整試験を行われる様子を説明する図である。
【図８】スイッチ２２Ｂに接続されていたスイッチ２１のＢ回線がスイッチ２２Ｄに接続される様子を説明する図である。
【図９】バックアップ運転時における、通信回線の接続状態を説明する図である。
【図１０】バックアップ運転中に、設定を変更する様子を説明する図である。
【図１１】新チャネルを用いた通常運転時における、通信回線の接続状態を説明する図である。
【図１２】スイッチ２１のＡ回線に障害が生じた場合の一例を表す図である。
【図１３】スイッチ２１のＢ回線を旧チャネルに接続した状態を説明する図である。
【発明を実施するための形態】
【００１７】
以下、本発明の一実施形態に係る遠隔監視制御システムについて説明する。図１は、本実施形態の遠隔監視制御システムの構成例を示す図である。本実施形態の遠隔監視制御システムは、変電所などの電気所１に設置される電力設備などの現場機器４（被制御装置）を、遠隔の制御所や営業所などの遠隔地３に設置される監視制御端末８（ＭＰ）から監視および制御するためのシステムである。また、遠隔地３と電気所１との間には監視や制御に係る通信を中継するための制御中継所２が設けられる。
【００１８】
電気所１には、現場機器４に受電盤５を介して接続される遠隔監視制御装置６（ＴＣ）が設置される。遠隔監視制御装置６は、スイッチ２１に接続される。スイッチ２１は、遠隔監視制御装置６の接続先を切り替える。本実施形態では、スイッチ２１は２つの接続先と選択的に接続されるものとする。
【００１９】
制御中継所２には、遠隔監視制御装置６と監視制御端末８との間の情報の配信を行う情報集配信装置１０（ＤＸ）が設置される。情報集配信装置１０には、遠隔監視制装置６ごとに情報の入出力を行うための基板であるチャネル１０１が取り付けられる。また、制御中継所２には、バックアップ用の監視制御端末７が設置され、バックアップ用の監視制御端末７と遠隔監視制御装置６との間の情報の配信を行うためのテレコンインタフェース１１（ＴＣＩＦ）が設置される。
【００２０】
情報集配信装置１０には、情報集配信装置１０やテレコンインタフェース１１と監視制御端末８との接続を行う回線制御盤１２が設けられる。回線制御盤１２は、チャネル１０１ごとにスイッチ２２が設けられ、チャネル１０１とテレコンインタフェース１１とのいずれかに接続を切り替える。
【００２１】
図２は、情報配信装置１０の構成を説明するための図である。情報配信装置１０には、複数の基板を取り付けるためのスロットを有するユニット１０２が取り付けられ、チャネル１０１はユニット１０２のスロットに装着される。チャネル１０１は、遠隔監視制御装置６に応じた所定の通信方式により情報の入出力を行う。通信方式には、例えば、サイクリック伝送方式とＨＤＬＣ（Hi-level Data Link Control）伝送方式などがある。ユニット１０２には同じ通信方式のチャネル１０１のみが装着可能であり、異なる通信方式のチャネル１０１を混在させることはできない。
【００２２】
ユニット１０２には異なる通信方式のチャネルを混在させることができないため、例えば図３に示す例のように、サイクリック伝送方式のユニット１０２（以下、「サイクリックユニット」ともいう。）には空きスロットがあるが、ＨＤＬＣ伝送方式のユニット１０２（以下、「ＨＤＬＣユニット」ともいう。）には空きスロットがないような場合には、サイクリック伝送方式に対応したチャネル１０１（以下、「サイクリックチャネル」ともいう。）は増設可能であるが、ＨＤＬＣ伝送方式に対応したチャネル１０１（以下、「ＨＤＬＣチャネル」ともいう。）は増設することができない。図３の例では、情報集配装置１０Ｃに設けられているＨＤＬＣユニット１０２Ｃ１および１０２Ｃ２のいずれにも８個のＨＤＬＣチャネル１０１ａ−ｐが装着されており、新たにＨＤＬＣチャネル１０１ｚを装着しようとしても、例えば、情報集配装置１０Ｂに設けられたサイクリックユニット１０２Ｂ２の空きスロットにＨＤＬＣチャネル１０１ｚを装着することはできない。そこで、情報集配装置１０Ａのサイクリックユニット１０２Ａ１に装着されている５つのサイクリックチャネル１０１Ａ−Ｅを、他のサイクリックユニット１０２Ａ１、１０２Ｂ１、１０２Ｂ２のいずれかの空きスロットに移動し、図４の例に示すように、ユニット１０２Ａ１をサイクリックユニットからＨＤＬＣユニットに取り替えることにより、取り替えたＨＤＬＣユニット１０２Ａ１のいずれかのスロットに、新たなＨＤＬＣチャネル１０１ｚを装着することが可能になる。
【００２３】
サイクリックユニット１０２Ａ１に装着されているサイクリックチャネル１０１Ａ−Ｅを他のユニット１０２に移動させる場合には、一旦各チャネル１０１の基板を外すことになる。チャネル１０１の基板を外している間は、遠隔監視制御装置６から現場機器４の制御を行うことが出来なくなるため、バックアップ運転に切り替えた後にチャネル１０１の移動を行う。
【００２４】
以下、現場機器４の制御を行いつつチャネル１０１の切り替え（着脱）を行う方法について説明する。
【００２５】
図５は、通常運転時における、通信回線の接続状態を説明する図である。本実施形態では、変電所１にはスイッチ２１が設置され、スイッチ２１により遠隔監視制御装置６を接続する先が切り替えられる。以下の説明において、通常運転時にスイッチが接続している回線をＡ回線といい、もう一方の回線をＢ回線という。
【００２６】
制御中継所２においては、チャネル１０１ごとにスイッチ２２が設置され、チャネル１０１Ａに対応するスイッチ２２Ａはスイッチ２１のＡ回線に接続され、チャネル１０１Ｂに対応するスイッチ２２Ｂはスイッチ２１のＢ回線に接続される。スイッチ２２ＡのＡ回線はチャネル１０１Ａに接続され、スイッチ２２ＡのＢ回線はテレコンインタフェース１１Ａに接続される。なお、以下の説明において、スイッチ２１のＡ回線につながるチャネル１０１をＡチャネルともいい、スイッチ２１のＢ回線につながるチャネル１０１をＢチャネルともいう。チャネル１０１Ａは制御所３に設置される監視制御端末８Ａと接続され、テレコンインタフェース１１Ａは制御中継所２に設置されるバックアップ用の監視制御端末７と接続される。スイッチ２２ＢのＡ回線はチャネル１０１Ｂに接続され、スイッチ２２ＢのＢ回線はテレコンインタフェース１１Ａに接続される。チャネル１０１Ｂは営業所３に設置される監視制御端末８Ｂと接続される。このように、スイッチ２２によって、チャネル１０１又はテレコンインタフェース１１Ａが切り替えられる。
【００２７】
図５の例では、通常運転時には制御所３の監視制御端末８Ａが遠隔完成制御装置６を介して変電所１の現場機器４を監視制御することになる（図中太線）。
【００２８】
ここでチャネル１０１Ａおよび１０１Ｂを別のユニット１０２に移動する。図５の例では、制御中継所２において、新しいチャネル１０１Ｃおよび１０１Ｄならびに対応するスイッチ２２Ｃおよび２２Ｄが設けられる。また、新しいチャネル１０１Ｃおよび１０１Ｄに対応するテレコンインタフェース１１Ｂが設けられる。以下、チャネル１０１Ａに装着されている基板を取り外してチャネル１０１Ｃに装着し、チャネル１０１Ｂに装着されている基板を取り外してチャネル１０１Ｄに装着するように、切り替え作業を行う場合の処理を説明する。
【００２９】
図６は、チャネル１０１Ａおよび１０１Ｂ（旧チャネル）からチャネル１０１Ｃおよび１０１Ｄ（新チャネル）への切り替え処理の流れを示す図である。まず、新チャネル１０１Ｃおよび１０１Ｄの調整試験を行う（Ｓ４０１）。図７に示すように、試験器３０を新しいチャネル１０１Ｃおよび１０１Ｄに接続されている回線に接続し、電圧レベルなどが既定の範囲内に収まっているか否か等の確認を行い、基準を満たさない場合には調整をする。なお、一般的な手法により調整は行うものとする。
【００３０】
次に、スイッチ２１のＢ回線をチャネル１０１Ｄに対応するスイッチ２２Ｄに接続する（Ｓ４０２）。図８に示すように、スイッチ２２Ｂに接続されていたスイッチ２１のＢ回線がスイッチ２２Ｄに接続される。現場機器４の監視制御は、制御所３の監視制御端末８Ａのみから行うようにする。チャネル１０１Ｂ、チャネル１０１Ｂに対応するテレコンインタフェース１１Ａ、営業所３の監視制御端末８Ｂ、チャネル１０１Ｄ、チャネル１０１Ｄに対応するテレコンインタフェース１１Ｂ、および制御中継所２のバックアップ用の監視制御端末７の設定を、監視制御端末８Ａ、監視制御端末８Ｂおよびバックアップ用の監視制御端末７がチャネル１０１Ｃ、チャネル１０１Ｄまたはテレコンインタフェース１１Ｂを介して変電所１の現場機器４を監視制御できるように変更する（Ｓ４０３）。また、チャネル１０１Ｂに装着されていた基板を外してチャネル１０１Ｄに装着させる。ステップＳ４０３における設定の変更には、例えば、接続関係を記憶するテーブルの設定を書き換えることなどが含まれる。
【００３１】
設定変更が完了した後、スイッチ２２ＤをＢ回線に切り替え（Ｓ４０４）、発電所１のスイッチ２１をＢ回線に切り替えて（Ｓ４０５）、テレコンインタフェース１１Ｂを介してバックアップ用の監視制御端末７が現場機器４を監視制御するようにする（Ｓ４０６）。こうして、図９に示すように、バックアップ用の監視制御端末７からテレコンインタフェース１１Ｂ、スイッチ２２Ｄ、スイッチ２１、遠隔監視制御装置６を介して現場機器４が監視制御されることになる。
【００３２】
バックアップ用の監視制御端末７がテレコンインタフェース１１Ｂを介して現場機器４を監視制御している間に、図１０に示すように、スイッチ２２Ａに接続されていたスイッチ２１ＡのＡ回線をスイッチ２２Ｃに接続する（Ｓ４０６）。ここでも引き続きバックアップ用の監視制御端末７から変電所１の現場機器４を監視制御するようにし、監視制御端末７による監視制御の間に、チャネル１０１Ａ、チャネル１０１Ｃおよび制御所３の監視制御端末８Ａの設定を、監視制御端末８Ａ、監視制御端末８Ｂおよびバックアップ用の監視制御端末７がチャネル１０１Ｃ、チャネル１０１Ｄまたはテレコンインタフェース１１Ｂを介して変電所１の現場機器４を監視制御できるように変更する（Ｓ４０８）。また、チャネル１０１Ａに装着されていた基板を外してチャネル１０１Ｃに装着させる。ステップＳ４０８における設定の変更には、例えば、接続関係を記憶するテーブルの設定を書き換えることなどが含まれる。
【００３３】
最後に変電所１のスイッチ２１をＡ回線に切り替えることで（Ｓ４０９）、図１１に示すように、制御所３の監視制御端末８Ａから、新しいチャネル１０１Ｃを介して現場機器４の監視制御を通常どおり行うことができる。また、スイッチ２１を切り替えることにより、チャネル１０１Ｄを介して営業所３の監視制御端末８Ｂから監視制御を行うことが可能である。また、スイッチ２２Ｃや２２Ｄを切り替えることにより、テレコンインタフェース１１Ｂを介して制御中継所２のバックアップ用の監視制御端末７から監視制御を行うこともできる。
【００３４】
以上の処理を、図３のユニット１０２Ａ１において基板が装着されているチャネル１０１Ａ−Ｅのそれぞれについて行うことにより、ユニット１０２Ａ１のチャネル１０１のすべてを空にすることができるので、ユニット１０２Ａ１をサイクリックユニットからＨＤＬＣユニットに取り替えて、ＨＤＬＣチャネルを装着可能とすることができる。
【００３５】
以上のようにして、変電所１の現場機器４の監視制御を継続しつつ、変電所１のスイッチ２１の接続先をチャネル１０１Ａおよび１０１Ｂからチャネル１０１Ｃおよび１０１Ｄに切り替えることができる。
【００３６】
＝＝切り替え中に通信障害が生じた場合＝＝
次に、回線の切り替え中に障害が生じた場合について説明する。
【００３７】
図１２は、図８に示すスイッチ２１のＢ回線がスイッチ２２Ｄに接続された状態で、スイッチ２１のＡ回線に障害が生じた場合の一例を表す図である。なお、スイッチ２１とスイッチ２２との間の回線は、コネクタ５１により接続されるものとする。図１２に示すようにスイッチ２１のＡ回線に障害が生じた場合には、スイッチ２１がＢ回線に自動的に切り替わることがあるが、ここでチャネル１０１Ｄおよびテレコンインタフェース１１Ｂが設定作業中の場合、設定が完了するまではチャネル１０１Ｄまたはテレコンインタフェース１１Ｂを介しての通信を行うことができないため、現場機器４の監視制御を継続することができなくなってしまう。
【００３８】
そこで、図１３に示すように、コネクタ５１Ｄのスイッチ２２Ｄ側に接続されているケーブル５２を取り外し、コネクタ５１Ｄのスイッチ２２Ｄ側と、コネクタ５１Ａのスイッチ２１側とをケーブル５３により接続する。これにより、スイッチ２１とスイッチ２２Ａとが再度接続されることになる。したがって、引き続きチャネル１０１Ａを介して制御所３の監視制御端末８Ａから現場機器４を監視制御することができる。
【００３９】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【００４０】
例えば、本実施形態では、電気所１の現場機器４を監視制御するものとしたが、これに限らず、本発明は通信回線を使って遠隔監視を行う場合に広く適用することができる。
【００４１】
また、本実施形態では、ユニット１０２の通信方式はＨＤＬＣ伝送方式とサイクリック伝送方式とのいずれかであるものとしたが、各種の通信方式を採用してもよい。また、本実施形態では、ユニット１０２には同一の通信方式のチャネル１０１の基板のみを装着可能であるものとしたが、このような制限がない場合であってもよい。すなわち、チャネル１０１の基板を違うスロットに移動するような場合に広く応用することができる。
【００４２】
また、本実施形態では、電気所１のスイッチ２１は２つの回線を切り替えるものとしたが、３つ以上の回線に切り替え可能としてもよい。また、スイッチ２１を設けずに遠隔監視制御装置６と直接スイッチ２２とを直接接続するようにしてもよい。同様に、スイッチ２２が３つ以上のチャネル１０１との接続を切り替え可能としてもよいし、スイッチ２２を省略して、チャネル１０１とスイッチ２１又は遠隔監視制御装置６とを直接接続するようにしてもよい。また、電気所１に設置される遠隔監視制御装置６は複数あってもよい。
【００４３】
また、本実施形態では、バックアップ用の監視制御端末７はテレコンインタフェース１１に接続されるものとしたが、チャネル１０１に接続するようにしてもよい。この場合、スイッチ２２は、遠隔地３の監視制御端末３に接続するチャネル１０１とバックアップ用の監視制御端末７に接続するチャネル１０１とを切り替えるようにする。
【００４４】
また、本実施形態では、受電盤５を介して遠隔監視制御装置６と現場機器４とが接続されるものとしたが、受電盤５を省略してもよい。この場合、電気所１において直接運転ができなくなるため、遠隔監視制御装置６を複数設置する冗長構成とすることが好ましい。
【符号の説明】
【００４５】
１  電気所（変電所）
２  制御中継所
３  遠隔地（制御所、営業所）
４  現場機器
５  受電盤
６  遠隔監視制御装置（ＴＣ）
７  バックアップ用の監視制御端末
８  監視制御端末
１０  情報集配信装置
１１  テレコンインタフェース
１２  回線制御盤
２１  スイッチ
２２  スイッチ
３０  試験器
５１  コネクタ
５２  ケーブル
５３  ケーブル
１０１  チャネル
１０２  ユニット
【図１】
0005225347.tif 000002
【図２】
0005225347.tif 000003
【図３】
0005225347.tif 000004
【図４】
0005225347.tif 000005
【図５】
0005225347.tif 000006
【図６】
0005225347.tif 000007
【図７】
0005225347.tif 000008
【図８】
0005225347.tif 000009
【図９】
0005225347.tif 000010
【図１０】
0005225347.tif 000011
【図１１】
0005225347.tif 000012
【図１２】
0005225347.tif 000013
【図１３】
0005225347.tif 000014